(57)【要約】【課題】  患者のより安楽な姿勢を保持でき、スムーズな手術が可能になる動脈穿刺用腕置きクッションを提供すること。【解決手段】  患者Ｍの腕Ｍ１に対して動脈穿刺を行う際に腕を載せて使用するクッション１であって、内部にクッション材が入って棒状又は長板状に形成され上面に腕の上腕部から少なくとも手首まで載置されるクッション本体２と、クッション本体の一端側に設けられ患者の肩部Ｍ２が載置される肩載置部３とを有し、肩載置部が、クッション本体よりも薄いと共に、クッション本体の側方に突出して設けられている。【選択図】  図１
2017079874.tif 000002
【特許請求の範囲】
【請求項１】
患者の腕に対して動脈穿刺を行う際に前記腕を載せて使用するクッションであって、
内部にクッション材が入って棒状又は長板状に形成され上面に前記腕の上腕部から少なくとも手首まで載置されるクッション本体と、
前記クッション本体の一端側に設けられ前記患者の肩部が載置される肩載置部とを有し、
前記肩載置部が、前記クッション本体よりも薄いと共に、前記クッション本体の側方に突出して設けられていることを特徴とする動脈穿刺用腕置きクッション。
【請求項２】
請求項１に記載の動脈穿刺用腕置きクッションにおいて、
前記肩載置部が、前記クッション本体の左右にそれぞれ設けられていることを特徴とする動脈穿刺用腕置きクッション。
【請求項３】
請求項１又は２に記載の動脈穿刺用腕置きクッションにおいて、
前記クッション本体の一端側が、一端に向けて漸次薄く形成され、
前記クッション本体の一端側の上面が、一端から他端側に向けて傾斜しながら漸次高くなっていることを特徴とする動脈穿刺用腕置きクッション。
【請求項４】
請求項１から３のいずれか一項に記載の動脈穿刺用腕置きクッションにおいて、
前記クッション本体の他端部が軸方向に直交する断面で略四角形状とされていると共に、前記クッション本体の一端部が軸方向に直交する断面で略楕円形状とされていることを特徴とする動脈穿刺用腕置きクッション。
【請求項５】
請求項１から４のいずれか一項に記載の動脈穿刺用腕置きクッションにおいて、
前記クッション本体の他端部に巻かれて設置された指固定用バンドと、
前記指固定用バンドよりも一端側に設置可能で前記クッション本体の上面の幅方向に延在した手首用クッション部とを備えていることを特徴とする動脈穿刺用腕置きクッション。
【請求項６】
請求項１から５のいずれか一項に記載の動脈穿刺用腕置きクッションにおいて、
前記クッション本体の延在方向の中間部分に設置可能な略板状の肘用クッション部を備えていることを特徴とする動脈穿刺用腕置きクッション。
【請求項７】
請求項１から６のいずれか一項に記載の動脈穿刺用腕置きクッションにおいて、
前記クッション本体と前記肩載置部との互いの上下面が、連続した生地で構成されていることを特徴とする動脈穿刺用腕置きクッション。
【請求項８】
請求項１から７のいずれか一項に記載の動脈穿刺用腕置きクッションにおいて、
前記肩載置部が、柔軟で前記クッション本体側に折り畳み可能であることを特徴とする動脈穿刺用腕置きクッション。
【請求項９】
請求項１から８のいずれか一項に記載の動脈穿刺用腕置きクッションにおいて、
前記クッション本体及び前記肩載置部が、外袋と、前記外袋内に収納された内袋とで構成され、
前記内袋が、前記外袋に縫い付けてあると共に、前記クッション本体内側に対応する部分に前記クッション材を収納した状態で前記肩載置部の付け根近傍において封じられていることを特徴とする動脈穿刺用腕置きクッション。
【発明の詳細な説明】
【技術分野】
【０００１】
本発明は、心臓カテーテル手術等の際に、腕の動脈にカテーテルを穿刺するため、患者の腕を載置する動脈穿刺用腕置きクッションに関する。
【背景技術】
【０００２】
心筋梗塞や狭心症などの虚血性疾患の手術方法として、手首部分の動脈からカテーテルを挿入する橈骨動脈穿刺法や、肘部分の動脈からカテーテルを挿入する上腕動脈穿刺法を用いた心臓カテーテル手術が行われている。
このような動脈穿刺を行う場合、手術台上に仰向けに横たわる患者の腕の肘や手首にカテーテルを挿入するため、患者が安静にしている状態で、腕が動かないように固定して行う必要がある。このため、治療を受ける患者が楽な姿勢で穿刺を受けることができるように、腕の位置を規制するクッション等が提案されている。
【０００３】
例えば、特許文献１では、橈骨動脈に穿刺する際に使用され、上面に湾曲面を備えた台座と、湾曲面の上に配置されたクッションとで構成され、クッションは、湾曲面の形状に合わせて変形可能に形成され、湾曲面は患者の前腕部の裏側面の形状に合わせて凹状に形成されているラディアル穿刺用枕が記載されている。この穿刺用枕では、手のひらを上方に向けて前腕部の裏側面がクッションに載置された状態で、前腕部が捻られて橈骨動脈が上方に向くように湾曲面が前腕部の位置に案内されている。
【先行技術文献】
【特許文献】
【０００４】
【特許文献１】特開２００６−１０９９６３号公報
【発明の概要】
【発明が解決しようとする課題】
【０００５】
上記従来の技術には、以下の課題が残されている。
すなわち、上記特許文献１の技術では、前腕部を穿刺用枕の上に載置してその位置をある程度固定しているが、患者の肩から肘までの上腕部が不安定になって患者が全体的に安楽な姿勢を保持することが難しい場合があった。また、設置した穿刺用枕が安定せず、ずれてしまうことがあり、患者の腕を安定して載置できないという不都合があった。このように、不安定で安楽な姿勢を保つことができないと、同一体位による肩こりが生じる等の患者への負担が増大してしまうと共に、スムーズに手術を行うことができない場合があった。
【０００６】
本発明は、前述の課題に鑑みてなされたもので、患者のより安楽な姿勢を保持でき、スムーズな手術が可能になる動脈穿刺用腕置きクッションを提供することを目的とする。
【課題を解決するための手段】
【０００７】
本発明は、前記課題を解決するために以下の構成を採用した。すなわち、第１の発明に係る動脈穿刺用腕置きクッションは、患者の腕に対して動脈穿刺を行う際に前記腕を載せて使用するクッションであって、内部にクッション材が入って棒状又は長板状に形成され上面に前記腕の上腕部から少なくとも手首まで載置されるクッション本体と、前記クッション本体の一端側に設けられ前記患者の肩部が載置される肩載置部とを有し、前記肩載置部が、前記クッション本体よりも薄いと共に、前記クッション本体の側方に突出して設けられていることを特徴とする。
【０００８】
本発明の動脈穿刺用腕置きクッションでは、肩載置部が、クッション本体よりも薄いと共に、クッション本体の側方に突出して設けられているので、患者の肩下に薄い肩載置部が挿入された状態となることで、患者自身の肩部の重みでクッションが固定されてずれ難くなると共に、肩載置部及びクッション本体の上で患者の肩から手首までが安定して載置可能となる。したがって、患者の肩から手首まで全体として安楽な姿勢を保持することができ、スムーズな手術が可能になる。
なお、本発明の肩部は、腕の付け根部分から背中側の肩甲骨付近までをいう。
【０００９】
第２の発明に係る動脈穿刺用腕置きクッションは、第１の発明において、前記肩載置部が、前記クッション本体の左右にそれぞれ設けられていることを特徴とする。
すなわち、この動脈穿刺用腕置きクッションでは、肩載置部が、クッション本体の左右にそれぞれ設けられているので、左右のどちらの腕で動脈穿刺を行うとしても、穿刺する側の肩下に左右いずれかの肩載置部を挿入して手術を行うことができる。
【００１０】
第３の発明に係る動脈穿刺用腕置きクッションは、第１又は第２の発明において、前記クッション本体の一端側が、一端に向けて漸次薄く形成され、前記クッション本体の一端側の上面が、一端から他端側に向けて傾斜しながら漸次高くなっていることを特徴とする。
すなわち、この動脈穿刺用腕置きクッションでは、クッション本体の一端側が、一端に向けて漸次薄く形成され、クッション本体の一端側の上面が、一端から他端側に向けて傾斜しながら漸次高くなっているので、肩載置部の上に肩を載せると共にクッション本体の上に腕を載せると、肩部から肘に向けて載置面が漸次高くなり、肩から肘にかけて自然な形で腕を載置できると共に肘をのばした状態とすることができる。
【００１１】
第４の発明に係る動脈穿刺用腕置きクッションは、第１から第３の発明のいずれかにおいて、前記クッション本体の他端部が軸方向に直交する断面で略四角形状とされていると共に、前記クッション本体の一端部が軸方向に直交する断面で略楕円形状とされていることを特徴とする。
すなわち、この動脈穿刺用腕置きクッションでは、クッション本体の他端部が軸方向に直交する断面で略四角形状とされているので、手首側が載置されるクッション本体の他端部上面で平坦面が得られることで、上面に安定して手首側を載置可能である。また、この動脈穿刺用腕置きクッションでは、クッション本体の一端部が軸方向に直交する断面で略楕円形状とされているので、肩から上腕部が載置されるクッション本体の一端部の上面で、肩載置部に向けて傾斜面が得られることで、肩部及び上腕部を自然にかつ安定して載置可能になる。
【００１２】
第５の発明に係る動脈穿刺用腕置きクッションは、第１から第４の発明のいずれかにおいて、前記クッション本体の他端部に巻かれて設置された指固定用バンドと、前記指固定用バンドよりも一端側に設置可能で前記クッション本体の上面の幅方向に延在した手首用クッション部とを備えていることを特徴とする。
すなわち、この動脈穿刺用腕置きクッションでは、クッション本体の他端部に巻かれて設置された指固定用バンドと、指固定用バンドよりも一端側に設置可能で前記クッション本体の上面の幅方向に延在した手首用クッション部とを備えているので、指固定用バンドに指を通して固定した状態で、手首用クッション部を手首の下に設置することで、安定して手首を伸展させることができる。
【００１３】
第６の発明に係る動脈穿刺用腕置きクッションは、第１から第５の発明のいずれかにおいて、前記クッション本体の延在方向の中間部分に設置可能な略板状の肘用クッション部を備えていることを特徴とする。
すなわち、この動脈穿刺用腕置きクッションでは、クッション本体の延在方向の中間部分に設置可能な略板状の肘用クッション部を備えているので、肘用クッション部を肘下に設置することで、肘をさらに伸ばした状態とすることができる。特に、最初にカテーテルを挿入するときだけ、肘用クッション部を設置して肘を伸ばして挿入し易くし、挿入後は肘用クッション部を外して肘をリラックスできるようにすることも可能である。
【００１４】
第７の発明に係る動脈穿刺用腕置きクッションは、第１から第６の発明のいずれかにおいて、前記クッション本体と前記肩載置部との互いの上下面が、連続した生地で構成されていることを特徴とする。
すなわち、この動脈穿刺用腕置きクッションでは、クッション本体と肩載置部との互いの上下面が、連続した生地で構成されているので、クッション本体と肩載置部との上下面に縫い目が存在せず、縫い目から消毒液等が内部に浸み込むことがない。
【００１５】
第８の発明に係る動脈穿刺用腕置きクッションは、第１から第７の発明のいずれかにおいて、前記肩載置部が、柔軟で前記クッション本体側に折り畳み可能であることを特徴とする。
すなわち、この動脈穿刺用腕置きクッションでは、肩載置部が、柔軟でクッション本体側に折り畳み可能であるので、肩載置部を折り畳んでおくことで収納し易くなる。特に、一対の肩載置部がクッション本体の両側に設けられている場合、手術時に肩部が載置されない他方の肩載置部を折り畳んでおくことで、手術時の邪魔になることがない。
【００１６】
第９の発明に係る動脈穿刺用腕置きクッションは、第１から第８の発明のいずれかにおいて、前記クッション本体及び前記肩載置部が、外袋と、前記外袋内に収納された内袋とで構成され、前記内袋が、前記外袋に縫い付けてあると共に、前記クッション本体内側に対応する部分に前記クッション材を収納した状態で前記肩載置部の付け根近傍において封じられていることを特徴とする。
すなわち、この動脈穿刺用腕置きクッションでは、内袋が、外袋に縫い付けてあると共に、クッション本体内側に対応する部分にクッション材を収納した状態で肩載置部の付け根近傍において封じられているので、クッション材を封止した内袋が外側の外袋に縫い込まれて内部で動き難くしてあり、形状の安定化を図ることができる。特に、患者の肩部や腕部を載せた際に、内袋が内部で動いてクッション材が肩載置部内に移動してしまうことを抑制できる。
【発明の効果】
【００１７】
本発明によれば、以下の効果を奏する。
すなわち、本発明に係る動脈穿刺用腕置きクッションによれば、肩載置部が、クッション本体よりも薄いと共に、クッション本体の側方に突出して設けられているので、患者の肩から手首までが安定して載置可能となる。したがって、患者の肩から手首まで全体として安楽な姿勢を保持することができ、スムーズな手術が可能になる。
【図面の簡単な説明】
【００１８】
【図１】本発明に係る動脈穿刺用腕置きクッションの一実施形態を示す平面図である。
【図２】本実施形態において、動脈穿刺用腕置きクッションを示す斜視図である。
【図３】本実施形態において、紙シーツを敷いた状態の動脈穿刺用腕置きクッションを示す側面図である。
【図４】本実施形態において、内部構造も示した動脈穿刺用腕置きクッションの斜視図（ａ）及びＡ−Ａ線断面図（ｂ）である。
【図５】本実施形態において、動脈穿刺用腕置きクッションを示す写真である。
【図６】本実施形態において、動脈穿刺用腕置きクッションに腕を載置した状態を示す写真である。
【発明を実施するための形態】
【００１９】
以下、本発明に係る動脈穿刺用腕置きクッションの一実施形態を、図１から図６を参照しながら説明する。
【００２０】
本実施形態の動脈穿刺用腕置きクッション１は、図１から図４に示すように、患者Ｍの腕Ｍ１に対して動脈穿刺を行う際に腕Ｍ１を載せて使用するクッションであって、内部にクッション材Ｃが入って棒状に形成され上面に腕Ｍ１の上腕部から少なくとも手首Ｍ２まで載置されるクッション本体２と、クッション本体２の一端２ａ側に設けられ患者Ｍの肩部Ｍ２が載置される肩載置部３とを有している。
【００２１】
上記肩載置部３は、クッション本体２よりも薄いと共に、クッション本体２の側方に突出して設けられている。
また、肩載置部３は、クッション本体２の左右にそれぞれ設けられている。すなわち、一対の肩載置部３は、クッション本体２の一端部の両側から耳状のフラップ部として側方に拡がっている。
【００２２】
上記クッション本体２の一端２ａ側は、一端２ａに向けて漸次薄く形成され、クッション本体２の一端２ａ側の上面が、一端２ａから他端２ｂ側に向けて傾斜しながら漸次高くなっている。
また、図２に示すように、クッション本体２の他端部が軸方向に直交する断面で略四角形状とされていると共に、クッション本体２の一端部が軸方向に直交する断面で略楕円形状とされている。なお、図２では、クッション本体２の一端部と他端部との断面形状を、それぞれ二点鎖線で示している。
【００２３】
また、本実施形態の動脈穿刺用腕置きクッション１は、クッション本体２の他端部に巻かれて設置された指固定用バンド４と、指固定用バンド４よりも一端２ａ側に設置可能でクッション本体２の上面の幅方向に延在した手首用クッション部５と、クッション本体２の延在方向の中間部分に設置可能な略板状の肘用クッション部６とを備えている。
上記指固定用バンド４は、例えば伸縮可能なゴムベルトである。
上記手首用クッション部５は、クッション本体２の上面の幅方向に長い立方体形状を有している。
上記肘用クッション部６は、平面視四角形状であって断面扁平形状に形成されている。
【００２４】
クッション本体２及び肩載置部３は、図４に示すように、表面が例えば合皮やレザー等の生地の外袋２Ａで形成されていると共に、内部にクッション材Ｃとしてウレタン及びビーズを入れた内袋２Ｂが収納されている。すなわち、クッション本体２及び肩載置部３は、外袋２Ａと、外袋２Ａ内に収納された内袋２Ｂとで構成されている。外袋２Ａ及び内袋２Ｂは、それぞれ上下の生地を互いに縫い合わせて袋形状を構成している。
【００２５】
また、上記内袋２Ｂが、外袋２Ａに縫い付けてある。特に、内袋２Ｂの外周と外袋２Ａとの外周とが縫い付けられている。
さらに、内袋２Ｂは、クッション本体２内側に対応する部分にクッション材Ｃを収納した状態で肩載置部３の付け根近傍において封じられている。すなわち、内袋２Ｂは、肩載置部３の付け根近傍で上下の生地を縫い付けられて閉じられていることで、クッション本体２の一端側内部となる中央内側にクッション材Ｃを封じている。これによって、肩載置部３内にクッション材Ｃが移動しないようになっている。なお、内袋２Ｂと外袋２Ａとの縫い目Ｎ１と、内袋２Ｂのみの縫い目Ｎ２とを、図４に図示している。
また、肘用クッション部６の表面は、例えば合皮やレザー等の生地で形成されていると共に、内部にクッション材としてウレタン及びビーズが収納されている。
さらに、手首用クッション部５の表面は、合皮やレザー等の生地で形成されていると共に、内部にウレタンが収納されている。
【００２６】
肩載置部３は、クッション本体２と同様に合皮やレザー等の生地で形成されているが、内部にはウレタン及びビーズが入っていない。すなわち、肩載置部３は、柔軟でクッション本体２側に折り畳み可能なフラップ部とされている。
なお、クッション本体２及び肩載置部３は、縫い目が側面に設けられており、これらの上面及び下面には縫い目が無い。すなわち、クッション本体２と肩載置部３との互いの上下面が、連続した生地で構成されている。
【００２７】
上記クッション本体２の幅は、例えば１２０ｍｍであり、長さは７５０ｍｍとされ、他端部の厚さが１２０ｍｍとされる。また、肩載置部３の厚さは、例えば５〜１０ｍｍである。さらに、一対の肩載置部３とクッション本体２の一端部とを合わせた一端２ａ側の全幅は、例えば３８０ｍｍとされる。
また、手首用クッション部５の寸法は、例えば５０ｍｍ×６０ｍｍ×１８０ｍｍ（長さ）であり、肘用クッション部６の寸法は、例えば１５０ｍｍ×１８０ｍｍ×３０ｍｍ（厚さ）とされる。なお、手首用クッション部５は、厚さ５０ｍｍ側で使用することも、厚さ６０ｍｍ側で使用することも可能であり、このような厚さの使い分けで手首の高さや角度を変更、調整することが可能である。
また、指固定用バンド４は、例えば円周４４０ｍｍで、幅２５ｍｍの円環状とされる。なお、指固定用バンド４の内周面の一部には、ゴムの滑り止めが設けられている。
【００２８】
本実施形態の動脈穿刺用腕置きクッション１を使用する場合、まず動脈穿刺用腕置きクッション１の上面に、図３に示すように、紙シーツ７を敷き、紙シーツ７の上からクッション本体２の他端部に指固定用バンド４を巻いて紙シーツ７を固定する。このとき、指固定用バンド４は、滑り止め部分が下になるようにして巻く。なお、紙シーツ７は、腕Ｍ１から垂れた消毒液等を吸い取るために敷いている。
【００２９】
さらに、手首用クッション部５を、クッション本体２の他端２ｂ側であって指固定用バンド４よりも一端２ａ側の紙シーツ７とクッション本体２との間に挿入する。
なお、分かりやすくするために紙シーツ７を除いた状態で、指固定用バンド４と手首用クッション部５と肘用クッション部６とをクッション本体２にセットした場合の動脈穿刺用腕置きクッション１を示す写真を、図５に示す。
【００３０】
このようにセットした動脈穿刺用腕置きクッション１を、図１のように、患者Ｍが仰向けで寝ている手術台Ｂの横から受け台Ｂ１を引き出し、その上に載置する。また、その際に、肩載置部３を寝ている患者Ｍの肩部Ｍ２下に入れ込む。すなわち、患者Ｍの肩部Ｍ２を、肩載置部３上に載せた状態として動脈穿刺用腕置きクッション１を固定する。また、その状態で、患者Ｍの腕Ｍ１をクッション本体２の上面に延ばした状態で載置する。また、延ばした腕Ｍ１の親指を除く４本の指Ｍ３を指固定用バンド４内に通す。
【００３１】
また、手首用クッション部５の位置を、ちょうど手首下あたりになるように調整する。
この状態で、指Ｍ３が指固定用バンド４で固定されると共に、手首用クッション部５が手首の下に挿入状態となっていることで、手首が伸展・拳上した状態で保持される。
また、必要に応じて、肘用クッション部６を、クッション本体２の中間部分であって紙シーツ７とクッション本体２との間に挿入しても構わない。
【００３２】
なお、分かりやすくするために紙シーツ７を除いた状態で、指固定用バンド４と手首用クッション部５と肘用クッション部６とをクッション本体２にセットした場合の動脈穿刺用腕置きクッション１上に、患者Ｍの腕Ｍ１を載置して保持した状態を示す写真を、図６に示す。
このように腕Ｍ１を動脈穿刺用腕置きクッション１上に保持した状態で、上腕動脈や橈骨動脈に穿刺を行って心臓カテーテル手術を行う。
【００３３】
このように本実施形態の動脈穿刺用腕置きクッション１では、肩載置部３が、クッション本体２よりも薄いと共に、クッション本体２の側方に突出して設けられているので、患者Ｍの肩部Ｍ２下に薄い肩載置部３が挿入された状態となることで、患者Ｍ自身の肩部Ｍ２の重みでクッション１が固定されてずれ難くなると共に、肩載置部３及びクッション本体２の上で患者Ｍの肩部Ｍ２から手首までが安定して載置可能となる。したがって、患者Ｍの肩から手首まで全体として安楽な姿勢を保持することができ、スムーズな手術が可能になる。
【００３４】
また、肩載置部３が、クッション本体２の左右にそれぞれ設けられているので、左右のどちらの腕Ｍ１で動脈穿刺を行うとしても、穿刺する側の肩部Ｍ２下に左右いずれかの肩載置部３を挿入して手術を行うことができる。
また、クッション本体２の一端２ａ側が、一端２ａに向けて漸次薄く形成され、クッション本体２の一端２ａ側の上面が、一端２ａから他端２ｂ側に向けて傾斜しながら漸次高くなっているので、肩載置部３の上に肩部Ｍ２を載せると共にクッション本体２の上に腕Ｍ１を載せると、肩部Ｍ２から肘に向けて載置面が漸次高くなり、肩から肘にかけて自然な形で腕Ｍ１を載置できると共に肘をのばした状態とすることができる。
【００３５】
さらに、クッション本体２の他端部が軸方向に直交する断面で略四角形状とされているので、手首側が載置されるクッション本体２の他端部上面で平坦面が得られることで、上面に安定して手首側を載置可能である。また、この動脈穿刺用腕置きクッション１では、クッション本体２の一端部が軸方向に直交する断面で略楕円形状とされているので、肩から上腕部が載置されるクッション本体２の一端部の上面で、肩載置部３に向けて傾斜面が得られることで、肩部Ｍ２及び上腕部を自然にかつ安定して載置可能になる。
【００３６】
また、クッション本体２の他端部に巻かれて設置された指固定用バンド４と、指固定用バンド４よりも一端２ａ側に設置可能でクッション本体２の上面の幅方向に延在した手首用クッション部５とを備えているので、指固定用バンド４に指Ｍ３を通して固定した状態で、手首用クッション部５を手首の下に設置することで、安定して手首を伸展させることができる。
【００３７】
また、クッション本体２の延在方向の中間部分に設置可能な略板状の肘用クッション部６を備えているので、必要に応じて肘用クッション部６を肘下に設置することで、肘をさらに伸ばした状態とすることができる。特に、最初にカテーテルを挿入するときだけ、肘用クッション部６を設置して肘を伸ばして挿入し易くし、挿入後は肘用クッション部６を外して肘をリラックスできるようにすることも可能である。
【００３８】
また、クッション本体２と肩載置部３との互いの上下面が、連続した生地で構成されているので、クッション本体２と肩載置部３との上下面に縫い目が存在せず、縫い目から消毒液等が内部に浸み込むことがない。
さらに、肩載置部３が、柔軟でクッション本体２側に折り畳み可能であるので、肩載置部３を折り畳んでおくことで収納し易くなる。特に、本実施形態では、一対の肩載置部３がクッション本体２の両側に設けられているので、手術時に肩部Ｍ２が載置されない他方の肩載置部３を折り畳んでおくことで、手術時の邪魔になることがない。
【００３９】
また、内袋２Ｂが、外袋２Ａに縫い付けてあると共に、クッション本体２内側に対応する部分にクッション材Ｃを収納した状態で肩載置部３の付け根近傍において封じられているので、クッション材Ｃを封止した内袋２Ｂが外側の外袋２Ａに縫い込まれて内部で動き難くしてあり、形状の安定化を図ることができる。特に、患者Ｍの肩部Ｍ２や腕部Ｍ１を載せた際に、内袋２Ｂが内部で動いて肩載置部３内に移動してしまうことを抑制できる。
【００４０】
なお、本発明の技術範囲は上記実施形態に限定されるものではなく、本発明の趣旨を逸脱しない範囲において種々の変更を加えることが可能である。
【００４１】
例えば、上記実施形態のクッション本体は、患者の腕よりも太い棒状のクッション部分であるが、長板状のクッション部分としても構わない。
また、上記実施形態では、患者の右腕下に動脈穿刺用腕置きクッションを設置したが、上述したように、上記実施形態の動脈穿刺用腕置きクッションは、左右どちらでも使用可能であるため、左腕下に動脈穿刺用腕置きクッションを設置して使用することも可能である。
また、上記実施形態では、手首用クッション部及び肘付きクッション部をクッション本体と別体としたが、手首用クッション部及び肘付きクッション部をクッション本体に一体化したものでも構わない。さらに、手首用クッション部及び肘付きクッション部をクッション本体に面ファスナーやバンド等で着脱可能にしたものでも構わない。
【符号の説明】
【００４２】
１…動脈穿刺用腕置きクッション、２…クッション本体、２Ａ…外袋、２Ｂ…内袋、３…肩載置部、４…指固定用バンド、５…手首用クッション部、６…肘用クッション部、Ｃ…クッション材、Ｍ…患者、Ｍ１…腕、Ｍ２…肩部
【図１】
2017079874.tif 000003
【図２】
2017079874.tif 000004
【図３】
2017079874.tif 000005
【図４】
2017079874.tif 000006
【図５】
2017079874.tif 000007
【図６】
2017079874.tif 000008